(57)【要約】      （修正有）【課題】シャワーホース金具の滑りを防止し、シャワーヘッドの首振りを防止することができ、しかも既存のホース金具にも簡単に取り付けることができるシャワーホース金具の滑り止めチューブを提供する。【解決手段】ホース金具８には、滑り止めチューブ１１が被着される。滑り止めチューブ１１は、ＮＢＲやシリコーンなどのゴム質材料からなり、自然状態では上記ホース金具７の外径より細い径に成形されており、径を広げてホース金具８に被せられる。滑り止めチューブ１１は、外周面が凹凸面をなしている。この凹凸面は薄肉部とこれより出っ張る厚肉部とで構成する。チューブ１１は、ゴム質材料からなるので摩擦抵抗が大きく、加えて外面が凹凸面となっているので支持フック９の差込み穴１０の内面に引っ掛かりやすくなり、よって滑りが防止される。この結果、シャワーヘッドに噴射の反動が加わったり、シャワーホース７に捩れが生じても、ホース金具８の滑りが防止されているので、シャワーヘッド１の首振りが防止される。よって、シャワー水の噴射方向が狂うこともなくなる。【選択図】図１
0003168074.tif 000002
【実用新案登録請求の範囲】
【請求項１】
シャワーホースの先端に取付けられとともに支持フックに脱着可能に差し込まれるホース金具に取付けられ、このホース金具の外周面に被せられて弾性復帰力で弾着し、外表面に凹凸の模様を形成してあることを特徴とするシャワーホース金具の滑り止めチューブ。
【請求項２】
外周面の凹凸面は、薄肉部に対して一部分が出っ張った厚肉部を設けることで外周面が凹凸模様となっていることを特徴とする請求項２に記載のシャワーホース金具の滑り止めチューブ。
【請求項３】
凹凸面の凸面は、文字、数字または図柄の少なくとも１種を縦方向に配置してリブ状とし、このようなリブ部を周方向に間隔を存して複数本配列したことを特徴とする請求項２に記載のシャワーホース金具の滑り止めチューブ。
【請求項４】
外周面の凹凸面は、チューブの側壁の一部分を切り抜いた開口を設けることで外周面が凹凸となっていることを特徴とする請求項１に記載のシャワーホース金具の滑り止めチューブ。
【考案の詳細な説明】
【技術分野】
【０００１】  本考案は、シャワーヘッドが左右に首振り回動するのを防止するためのシャワーホース金具の滑り止め手段に関する。
【背景技術】
【０００２】  通常、一般家庭の浴室や浴場、温泉、ホテルのバスルームなどで使用されるシャワーヘッドはシャワーホースの先端に取り付けられたホース金具（樹脂製もあり）にねじ込まれており、このホース金具は浴室の壁面などに取り付けられたΩ（オーム）形の支持フックに引っ掛けられるようになっている。このようなシャワーヘッドが支持フックに支持された状態では、シャワーヘッド先端面の向き、すなわちシャワー水の噴射方向は一定となる。
しかしながら、シャワーヘッドを支持フックに引っ掛けて水を放出させた場合、噴射の反動によってシャワーヘッドが左右方向に回ってしまうことがある。
また、シャワーヘッドを手に持って操作すると、シャワーホースが曲がったり、ねじれたり、伸縮するなどの変形を生じることがあり、このような場合、シャワーホースによじれが発生し、このため、シャワーヘッドを支持フックに引っ掛けたときにホース金具が支持フックに対して滑りを生じ、シャワーヘッドが左右方向に回ってしまい、シャワー水の噴射方向が左右に振れてしまうこともある。
【先行技術文献】
【特許文献】
【０００３】
【特許文献１】  実開平７−４５６３号
【考案の概要】
【考案が解決しようとする課題】
【０００４】    上記特許文献１には、ホース金具に溝を設けるとともに支持フックにスプリングで突出する凸部を設けて、凸部が溝に係止することにより、ホース金具の滑りを止め、シャワーヘッドの向きが変わるのを防止したシャワー装置が開示されている。
しかしながら、上記従来の手段は、ホース金具に溝を設けるとともに支持フックにスプリングの力で突出する凸部を設ける構造であるから、既に昔から設置されている既存のシャワーホース金具に取り付けることができず、しかも構造が複雑である。
この考案の目的は、シャワーホース金具の滑りを防止し、シャワーヘッドの首振りを防止することができ、しかも既存のホース金具にも簡単に取り付けることができるシャワーホース金具の滑り止めチューブを提供しようとするものである。
【課題を解決するための手段】
【０００５】  請求項１の考案は、シャワーホースの先端に取付けられるとともに支持フックに脱着可能に差し込まれるホース金具に取付けられ、このホース金具の外周面に被せられて弾性復帰力で弾着し、外表面に凹凸の模様を形成してあることを特徴とする滑り止めチューブが提供される。
請求項２の考案は、外周面の凹凸面は、薄肉部に対して一部分が出っ張った厚肉部を設けることで外周面が凹凸模様となっていることを特徴とする滑り止めチューブが提供される。
請求項３の考案は、凹凸面の凸面は、文字、数字または図柄の少なくとも１種を縦方向に配置してリブ状とし、このようなリブを周方向に間隔を存して複数本配列したことを特徴とする滑り止めチューブが提供される。
請求項４の考案は、外周面の凹凸面は、チューブの側壁の一部分を切り抜いた開口を設けることで外周面が凹凸となっていることを特徴とする滑り止めチューブが提供される。
【考案の効果】
【０００６】  請求項１の考案によれば、滑り止めチューブがゴム質材料からなり、ホース金具の外周面に被せられて弾性復帰力で弾着するので、市場に出回っているシャワーホースはもちろん、既設のホース金具に対しても容易に取付けることができる。しかも、このチューブの材料はゴム質であるので、摩擦力が大きく、加えて外表面が平坦面でなくて凹凸面となっているので、滑り抵抗が大きく、よってホース金具と支持フックの間の滑りによる回転が防止される。
請求項２の考案によれば、凹凸面の凸面が肉厚部で形成されているので、チューブの強度が高く、破れ難い。
請求項３の考案によれば、凹凸面の凸面は、文字、数字または図柄の少なくとも１種を縦方向に配置してリブ状とし、このようなリブを周方向に沿って複数本配列したので、製造メーカや商品名などの表示ができ、意匠的な効果が向上する。
請求項４の考案によると、外周面の凹凸面は、チューブの側壁を部分的に切り抜いた開口を設けることで実質的に外周面が凹凸となっているので、チューブの肉厚を全面に亘り、薄くすることができる。元々、ホース金具の外周面と支持フックの内周面との間には隙間の余裕がないので、これら両者の間に介在される滑り止めチューブとしては肉厚の薄い方が有効である。
【図面の簡単な説明】
【０００７】
【図１】  考案の第１の実施例を示し、シャワーヘッド、シャワーホースおよび支持フックを示す斜視図
【図２】  滑り止めチューブの側面図
【図３】  滑り止めチューブをホース金具に被着し支持フックに引っ掛けた状態の断面図
【図４】  実施例２の滑り止めチューブの側面図
【図５】  実施例３の滑り止めチューブの側面図
【考案を実施するための形態】
【実施例１】
【０００８】  以下、実施例１について図１ないし図３にもとづき説明する。
図１はシャワーヘッド、シャワーホースおよび支持フックを示す斜視図、図２は滑り止めチューブの側面図、図３は滑り止めチューブをホース金具に被着し支持フックに引っ掛けた状態の断面図である。
１はシャワーヘッドであり、合成樹脂にて形成されたヘッド部２と握り部３を有している。ヘッド部２の前面には、多数の散水孔４を開設した散水板５が取付けられている。握り部３の下端には連結雄ねじ部６が形成されており、このねじ部６はシャワーホース７に連結されたホース金具（樹脂製もあり）８にねじ込まれるようになっている。ホース金具８は、内面に上記シャワーヘッドがねじ込まれる雌ねじ部を備えるとともに、外周面は下部に向かって細くなるテーパー形状をなしている。
このようなホース金具８は、浴室の壁やポールに取付けた支持フック９に脱着可能に引っ掛けられるようになっている。支持フック９は、前面が開放されたΩ（オーム）形の差込み穴１０を備えており、この差込み穴９は、内面がホース金具７のテーパー形状に沿って、下向きに細くなるテーパー面をなしている。
そして、上記ホース金具８には、滑り止めチューブ１１が被着される。滑り止めチューブ１１は、ＮＢＲやシリコーンなどのゴム質材料からなり、自然状態では上記ホース金具７の外径より細い径に成形されており、径を広げてホース金具８に被せられる。被せられた滑り止めチューブ１１はその弾性復帰力で径を縮小し、内面がホース金具８の外周面に密着する。よって、このチューブ１１はホース金具８に対し、自身の弾力でくっつき、滑らない。
上記滑り止めチューブ１１は、外周面が凹凸面をなしている。この凹凸面は薄肉部１２とこれより出っ張る厚肉部１３とで構成されており、厚肉部１３は模様が形成される。厚肉部１３の模様としては、種々の模様が実施可能であるが、本例では４本ないし６本を有効とする複数本の縦リブを周方向に間隔をおいて設けてある。
これらリブは、社名や商品名その他の文字、数字、図柄などを縦方向に並べることで、この文字列があたかも直線形のリブとなるように配置してある。【０００９】    このような構成の滑り止めチューブ１１であれば、ゴム質材料からなり、径を広げてホース金具８に被せられてその弾性復帰力でホース金具８の外周面に密着するので、市販中のシャワーホースや既に家庭やホテル、浴槽などに設置されているシャワー設備のホース金具に容易に取付けることができる。
そして、このようなチューブ１１を被せたホース金具８であれば、ゴム質材料からなるので摩擦抵抗が大きく、加えて外面が凹凸面となっているので支持フック９の差込み穴１０の内面に引っ掛かりやすくなり、よって滑りが防止される。この結果、シャワーヘッドに噴射の反動が加わったり、シャワーホース７に捩れが生じても、ホース金具８の滑りが防止されているので、シャワーヘッド１の首振りが防止される。よって、シャワー水の噴射方向が狂うこともなくなる。
上記実施例の凸面として形成されたリブは文字を直線状に並べて形成されているので、社名は商品名を表示すれば宣伝効果を高めるのに有効であり、また図柄やイラストで表示すればローレット模様などに比べて、意匠的効果が高くなる。
【実施例２】
【００１０】  図４は、実施例２の滑り止めチューブ２０の側面図であり、凹凸面の模様の変形例である。この凹凸面の模様は複数本のリブ２１…を薄肉部より肉厚にして形成したものである。このようなリブ２１は、４本ないし１２本の範囲で形勢することが望ましい。すなわち、リブ２１の数が４本未満であると、リブの間隔が大きくなりすぎて、ホース金具８と差込み穴１０の間にリブが介在しなくなり、またリブ２１の数が１２本を越えると、リブの数が密になり、滑り止めチューブ１１の外面が平坦に近くなるので、滑りやすくなる。
【実施例３】
【００１１】  図５は、実施例３の滑り止めチューブ３０の側面図であり、凹凸面の模様の変形例である。この凹凸面の模様は菱形や三角形の部分が薄肉になっていて、厚肉部が網目模様となっている。
しかし、これら菱形や三角形の部分を切り抜いて開口してもよい。このような開口部３１を設けた場合も、チューブ１１の外面は、側壁の存在する部分と開口する部３１が形成されるので実質的に凹凸面となる。
このような開口３１を設けて凹凸面を形成した場合、滑り止めチューブ１１の肉厚を、厚肉部がないので、薄くすることができる。チューブ１１を薄肉にすれば、以下の利点がある。すなわち、元々、ホース金具８の外周面と支持フック９の差込み穴１０の内周面とは、ホース金具８が密着して嵌るように隙間がないようになっているが、これら両者の間に何らかの物が介在すると、ホース金具８および差込み穴１０がテーパ形となっているためにホース金具８が深く差し込めず、高く浮き上がり、不安定になることが心配される。したがって、ホース金具８と差込み穴１０の間に介在される滑り止めチューブ１１は、強度が許す限り肉厚の薄い方がよい。
なお、開口３１の形状は、菱形や三角形を組み合わせた網目模様に限らず、円形や文字、数字、イラストなどを切り抜いた開口形状であってもよい。
【産業上の利用可能性】
【００１２】  以上説明した通り本考案によれば、噴射によってシャワーヘッドに噴射の反動が作用したり、ホースに捩れなどが生じても、ホース金具が滑りを防止されているので、シャワーヘッドの首振りが防止され、シャワー水の噴射方向が狂うことがなくなる。しかも、この滑り止めチューブは、ゴム質材料からなり、径を広げてホース金具に被せられてその弾性復帰力でホース金具の外周面に密着するので、市販中のシャワーホースや既に家庭やホテル、浴槽などに設置されているシャワー設備のホース金具に容易に取付けることができる。
【符号の説明】
【００１３】１…シャワーヘッド
７…シャワーホース
８…ホース金具
９…支持フック
１０…差込み穴
１１，２０，３０…滑り止めチューブ
１２…薄肉部
１３…厚肉部
３１…開口
【図１】
0003168074.tif 000003
【図２】
0003168074.tif 000004
【図３】
0003168074.tif 000005
【図４】
0003168074.tif 000006
【図５】
0003168074.tif 000007